(57)【要約】【課題】施療者が手持ちの状態で保持し続けなくとも、正確な位置に電気的刺激を付与して目の周りの筋肉を鍛えることのできる、使い勝手に優れた美顔器を提供する。【解決手段】使用者の顔面に着脱自在に装着されるゴーグル型の保持部１に、該保持部１の装着時に両目の目下及び目尻部分と当接する四対の電極部４を保持させ、保持部１に接続させたコントローラ７内には電気信号出力手段３２を備えることで美顔器を構成し、電極部４を介して目周辺の皮下組織内の神経に電気的刺激を付与する。【選択図】        図１
2004216069.tif 000002
【特許請求の範囲】
【請求項１】
使用者の顔面に着脱自在に装着される保持部と、保持部に保持されていて該保持部の装着時に顔面の目近傍と当接する一対以上の電極部と、電極部を介して顔面の皮下組織内の神経に電気的刺激を付与する電気信号出力手段とを備えていることを特徴とする美顔器。
【請求項２】
電極部が、複数対であることを特徴とする請求項１に記載の美顔器。
【請求項３】
電極部が、導電性の弾性体であることを特徴とする請求項１又は２記載の美顔器。
【請求項４】
電極部が、顔面との当接側を底部とした有底円筒状であることを特徴とする請求項３記載の美顔器。
【請求項５】
電極部内に、該電極部の底部に顔面側への付勢力を付与するとともに該電極部を電気信号発生手段と電気的に接続させるばね部材を設けていることを特徴とする請求項４記載の美顔器。
【請求項６】
電極部の底部とばね部材との接触箇所に、電極部の底部との当接側が凸状の球面板を介在させていることを特徴とする請求項５記載の美顔器。
【請求項７】
電極部の底部と球面板との接触箇所に、導電性グリスを介在させていることを特徴とする請求項６記載の美顔器。
【請求項８】
保持部が、顔面に沿うように湾曲させた弾性体であることを特徴とする請求項１〜７のいずれか記載の美顔器。
【請求項９】
保持部が、眼鏡形状であることを特徴とする請求項１〜８のいずれか記載の美顔器。
【請求項１０】
保持部が、鼻と当たる部分を切り欠いたゴーグル形状であることを特徴とする請求項９記載の美顔器。
【請求項１１】
保持部の左右両端側を連結して後頭部に掛けられるバンド部を備え、該バンド部の後頭部との接触面に滑り止め部を設けていることを特徴とする請求項１０記載の美顔器。
【請求項１２】
保持部の顔面との当接側にクッション部を設けていることを特徴とする請求項１〜１１のいずれか記載の美顔器。
【請求項１３】
クッション部の額との当接部分を硬質弾性体で形成し、クッション部の他の部分を軟質弾性体で形成していることを特徴とする請求項１２記載の美顔器。
【請求項１４】
保持部に視界確保用の窓部を設けるとともに、保持部の顔面との当接側と逆側の面に該窓部を覆う透明板を配し、透明板の外周部に保護用の弾性体を突設させていることを特徴とする請求項８〜１３のいずれか記載の美顔器。
【発明の詳細な説明】
【０００１】
【発明の属する技術分野】
本発明は、電気的刺激を付与して筋肉を引締める美顔器に関する。
【０００２】
【従来の技術】
電気的刺激を利用した美顔器として、従来から、一対の電極部を備えた手持ち式のものがある。このものにおいては、施療者が目の周囲部分に電極部を当てて電流を流すことで皮下組織内の神経に電気的刺激を付与し、目の周りの筋肉を鍛えて張りを持たせることができる。しかしながら、上記のような手持ち式の美顔器においては、電極部を適切な位置に当てることが困難であったり、また、手が疲れてしまって長時間の施療が困難であるといった問題を有していた。
【０００３】
これに対して、使用者の頬や顎と当たる部分に電極部を備えたマスク型の美顔器（特許文献１参照）も提案されているが、これは顔全体の表情筋を鍛えて顔痩せ効果等を得ることが目的のものであって、目の周りに関しては特に美容効果がないものであった。
【０００４】
【特許文献１】
特開２００２−１５９３４０号公報
【０００５】
【発明が解決しようとする課題】
本発明は上記の点に鑑みてなされたものであり、施療者が手持ちの状態で保持し続けなくとも、正確な位置に電気的刺激を付与して目の周りの筋肉を鍛えることのできる、使い勝手に優れた美顔器を提供することを課題とするものである。
【０００６】
【課題を解決するための手段】
上記課題を解決するために本発明に係る美顔器を、使用者の顔面４０に着脱自在に装着される保持部１と、保持部１に保持されていて該保持部１の装着時に顔面４０の目近傍と当接する一対以上の電極部４と、電極部４を介して顔面４０の皮下組織内の神経に電気的刺激を付与する電気信号出力手段３２とを備えていることを特徴としたものとする。このようにすることで、使用者は保持部１を顔面４０に装着するだけで電極部４を目近傍にある所望の刺激箇所に当てておくことができ、手に持ちながら刺激箇所に電極部４を当てておく等の煩わしい作業を要さずに、電気的刺激を正確な箇所に長時間付与して美容効果を得ることができるので、使い勝手に優れた美顔器となる。
【０００７】
また、上記電極部４が複数対であることも好ましい。目近傍には、例えば目下や目尻といった複数箇所に所謂経穴が存在するので、このようにすることで、目近傍にある複数の経穴に同時に電気的刺激を付与して高い美容効果が得られるものである。
【０００８】
また、上記電極部４が導電性の弾性体であることも好ましく、このようにすることで、顔面４０の凹凸に応じて電極部４が変形し、電極部４と顔面４０との高い密着性が確保されるものである。
【０００９】
また、上記電極部４が顔面４０との当接側を底部４ａとした有底円筒状であることも好ましく、このようにすることで、顔面４０の凹凸に応じて電極部４の底部４ａが変形し、電極部４の底部４ａと顔面４０との高い密着性が確保されるものである。
【００１０】
また、上記電極部４内に、該電極部４の底部４ａに顔面４０側への付勢力を付与するとともに該電極部４を電気信号発生手段３２と電気的に接続させるばね部材１７を設けていることも好ましく、このようにすることで、ばね部材１７の付勢力により電極部４の底部４ａと顔面４０との高い密着性が確保されるとともに、ばね部材１７を介した電気的接続により電気信号発生手段３２から顔面４０までの抵抗値が軽減されるものである。
【００１１】
また、上記電極部４の底部４ａとばね部材１７との接触箇所に、電極部４の底部４ａとの当接側が凸状の球面板１８を介在させていることも好ましく、このようにすることで、ばね部材１７が電極部４の底部４ａを傷付けることが防止されるとともに、球面板１８の押付けにより電極部４の底部４ａと顔面４０との高い密着性が確保されるものである。
【００１２】
また、上記電極部４の底部４ａと球面板１８との接触箇所に、導電性グリス１９を介在させていることも好ましく、このようにすることで、電極部４の底部４ａと球面板１８の両対向面の粗度に影響を受けることなく、しかも、仮に顔面４０の大きな凹凸部分に当たって電極部４の底部４ａが大きく変形した場合にも影響を受けることなく、低抗値が安定的に低く確保されるものである。
【００１３】
また、上記保持部１が顔面４０に沿うように湾曲させた弾性体であることも好ましく、このようにすることで、使用者毎に異なる顔面形状に応じて保持部１が変形して密着し、電極部４と顔面４０との高い密着性が確保されるものである。
【００１４】
また、上記保持部１が眼鏡形状であることもことも好ましく、このようにすることで、使用者の視界を確保しながら施療が行われて使い勝手が良いものである。
【００１５】
また、上記保持部１が鼻と当たる部分を切り欠いたゴーグル形状であることも好ましく、このようにすることで、保持部１延いては電極部４が高い密着性で確実に顔面４０に保持されるので使い勝手が良いものである。
【００１６】
また、上記保持部１の左右両端側を連結して後頭部に掛けられるバンド部５を備え、該バンド部５の後頭部との接触面に滑り止め部２５を設けていることも好ましく、このようにすることで、保持部１の装着後にバンド部５が徐々にずれ落ちることがなく、保持部１延いては電極部４が顔面４０の所望箇所に確実に保持されるので使い勝手が良いものである。
【００１７】
また、上記保持部１の顔面４０との当接側にクッション部１２を設けていることも好ましく、このようにすることで、電極部４に局所的に大きな押付け力が生じることが防止されるものである。
【００１８】
また、上記クッション部１２の額との当接部分１２ａを硬質弾性体で形成し、クッション部１２の他の部分１２ｂを軟質弾性体で形成していることも好ましく、このようにすることで、目下や目尻にある経穴に電気的刺激を付与することに特化したものにおいて、電極部４を備えた部分１２ｂには軟質弾性体による十分なクッション性が確保されるとともに、電極部４を備えない部分である額との当接部分１２ａにおいては硬質弾性体による保持部１の確実な位置決めが行われるものである。
【００１９】
また、上記保持部１に視界確保用の窓部３を設けるとともに、保持部１の顔面４０との当接側と逆側の面に該窓部３を覆う透明板２３を配し、透明板２３の外周部に保護用の弾性体６を突設させていることも好ましく、このようにすることで、使用者は施療中にも窓部３と透明板２３を介して視界を確保して他の作業を行うことができ、加えて、保持部１を机等に置く際には保護用の弾性体６により透明板２３が傷つくことが防止されるものである。
【００２０】
【発明の実施の形態】
以下、本発明を添付図面に示す実施の形態に基づいて説明する。図１、図２には本発明の実施の形態における一例の美顔器の全体を示している。本例の美顔器は、使用者の顔面４０に着脱自在に装着される保持部１と、この保持部１に電気コード８を介して接続されるコントローラ７とで主体を構成している。
【００２１】
保持部１は、曲面を成す顔面４０に沿うように湾曲させた弾性体のものであって、装着時に顔面４０の鼻と当たる部分を切り欠くとともに、両目前方となる部分を開口させて視界確保用の窓部３とし、保持部１の左右両端側を連結して後頭部に掛けられるバンド部５を備えて、所謂ゴーグル形状としている。バンド部５は、保持部１の左右両端にそれぞれの一端２７ａ，２８ａ側を接続させた一対のバンド２７，２８と、両バンド２７，２８の他端２７ｂ，２８ｂ側にそれぞれ接続した互いに着脱自在のバックル部材２９，３０と、両バンド２７，２８の中央部分にそれぞれ設けた長さ調整用のアジャスター３１，３２とを備えている。また、上記バンド部５のバックル部材２９の後頭部と当たる部分には弾性体から成る滑り止め部２５を設けている。
【００２２】
保持部１の湾曲した内側である顔面４０との当接側には、弾性体から成るクッション部１２を設けている。このクッション部１２のうち、装着時における額との当接部分１２ａは硬質弾性体を用いて形成しており、他の部分１２ｂは上記硬質弾性体より柔軟な軟質弾性体を用いて保持部１から着脱自在に形成している。
また、保持部１の顔面４０との当接側とは逆側である外側の面には、少なくとも窓部３の全体を覆うように外乱光等を遮る透明板２３を配している。透明板２３の外周部には、縁全体から外側（即ち装着時の前側）に向けて、透明板２３が傷付くことを防止する保護用の弾性体６を突設している。
【００２３】
しかして、両目の前側が窓部３で開放されて透明板２３のみが存在し、鼻が切欠き部分に納まる状態となるように、上記保持部１を顔面４０に当て、後頭部にまわしたバンド部５のバックル部材２９，３０を連結させると、保持部１は顔面４０の所定位置に支持されることとなる。このとき、顔面４０の額部分にはクッション部１２の硬質弾性体から成る部分１２ａが当接して保持部１の厚み方向の位置決めが確実に行われるとともに、顔面４０の両目の周囲であって額を除く部分にはクッション部１２の軟質弾性体から成る部分１２ｂが当接して、保持部１が位置決めされる同時にそのクッション性により保持部１の押付け力が略均一に分散され、良好な肌当たりが確保される。なお、硬質弾性体から成る部分１２ａにおいても、額部分に長時間当てていても痛みを伴わない程度の柔軟性や面積を有している。
【００２４】
ここで、クッション部１２の軟質弾性体から成る部分１２ｂには、左右両側の対称な位置に、貫通穴３１をそれぞれ二対ずつ設けている。各貫通穴３１からは保持部１の電極取付板２０に保持させている電極部４の先端（即ち後述の底部４ａ）がそれぞれ露出しており、保持部１を装着した際に各電極部４が顔面４０の目近傍と当接するようになっている。
【００２５】
電極部４は、導電性の弾性体を用いて、顔面４０との当接側が底部４ａとなるような有底円筒状に形成したものであり（図３参照）、該電極部４内において、電極取付板２０に突設した取付ボス２１にばね部材１７の一端側を圧入固定している。また、ばね部材１７の上記一端側には、通電用のリード線２２をかしめ固定により接続させている。このように、ばね部材１７はその一端側において機械的固定及び電気的接続された状態で電極部４内に圧縮配設したものであり、ばね部材１７の他端側には球面板１８を当接させて、球面板１８を介して底部４ａに顔面４０側への付勢力を付与するようにしている。電極部４の底部４ａは顔面４０との当接側が凸の略球形状となるように形成したものであるが、球面板１８としては、底部４ａよりも小さな曲率半径で顔面４０との当接側が凸となるように形成したものを配置している。また、底部４ａの内面には、球面板１８よりも若干大径のリング状にリブ２４を突設しており、このリブ２４内に球面板１８を位置させるとともに、底部４ａと球面板１８との間に導電性グリス１９を塗布しておくことで、リブ２４を球面板１８の位置ずれ防止用、及び、導電性グリス１９の飛散防止用の部材として用いている。
【００２６】
そして、上記のように、電極部４の底部４ａとばね部材１７との接触箇所に導電性を有した凸状の球面板１８を介在させていることで、薄肉に形成される底部４ａをばね部材１７により傷付けることが防止されるとともに、顔面４０の大きな凹凸を有する部分に対しても底部４ａの密着性を確保することができるようになっている。また、本例においては更に底部４ａと球面板１８との接触箇所に導電性グリス１９を介在させているので、底部４ａと球面板１８の両対向面の粗度に影響を受けることなく、しかも、仮に顔面４０の大きな凹凸を有する部分に当たって底部４ａが大きく変形した場合にも影響を受けることなく、低抗値が安定的に低く確保されるものである。
【００２７】
保持部１に左右二対ずつの都合四対保持させてある電極部４は、保持部１を装着した際に左右両目の目下と目尻にある刺激箇所（経穴）に一対ずつが当接する位置となっている（図４参照）。但し、いずれの電極部４も、瞼に覆われる部分から１ｃｍ以内の領域Ａ（図中の点線内領域）には位置しないようにする。というのも上記領域Ａには肌の下に骨がないからであり、このように電極部４を瞼に覆われる部分から１ｃｍより大きく離れて接触するように設けることで、後述の電気信号出力手段３２から電極部４を介して加えた電気的刺激が薄い皮膚を通って眼球に直接付与されることが防止される。
【００２８】
コントローラ７には、電源部である電池３４や電気信号出力手段３２やレベル調整手段３３が内蔵されており、電気信号出力手段３２が電池３４により駆動されて出力する電気信号を、レベル調整手段３３により強弱レベル調整した後に電気コード８を介して保持部１に伝達させ、更に、保持部１においてリード線２２、ばね部材１７、球面板１８、導電性グリス１９を順に介して各電極部４にまで伝達させるものである。ここで、ばね部材１７は、電極部４の底部４ａに顔面４０側への付勢力を付与するとともに該電極部４を電気信号発生手段３２と低い抵抗値で電気的に接続させるものとなっている。
【００２９】
なお、図中の９は電源ランプ、１０は顔面４０に通電される電流が所定値以上の場合に点灯する通電ランプ、１１はレベル調整手段３３を制御して電気的刺激を調整する為のダイヤル、２６は電池カバーである。
【００３０】
しかして、本例の保持部１を既述のように顔面４０に装着した状態で、目の周囲にある刺激箇所に当接した電極部４に電気信号発生手段３２から電気信号を伝達させると、電極部４を介して顔面４０の皮下組織内の神経に電気的刺激が付与され、目の周りの筋肉が鍛えられることから美容効果が得られるものである。そして、電極部４は顔面４０に装着した保持部１に保持されて正確な刺激箇所に当たるようになっているので、手で器具類を保持しておく必要なく効果的な施療が可能な、使い勝手の良いものである。また、保持部１を湾曲させた弾性体としてベルト部５を備え、更に、電極部４を有底円筒状で薄肉の弾性体としてばね部材１７や球面板１８を配したことで、使用者により異なる頭部形状に対しても、電極部４の刺激箇所への高い密着性が確保されるようになっている。
【００３１】
また、本例の保持部１を装着した状態では、両目の前には窓部３が開口していて透明板２３だけがあるので、施療中においても使用者の視界が確保されるとともに、外乱光等は遮断されるものである。透明板２３には、弾性体からなる保持部１に或る程度の剛性を付加するといった作用もある。なお、図中１４は窓部３内と外部とを連通させて外部空気を取り入れる為の通風孔であり、これにより保持部１を装着した際の透明板２３の内面に生じる曇りが防止される。
【００３２】
クッション部１２は使用する程に汚れが付着するものであり、また、電極部４の密着性を更に高める為には電極部４と顔面４０の刺激箇所との間に導電性のジェル（図示せず）を塗布することが好ましくこの場合にはクッション部１２にジェルが付着して更に汚れがひどくなるが、クッション部１２の軟質弾性体から成る部分１２ｂが着脱自在であることから一旦取り外して洗浄すればよく、清潔に保つことができる。
【００３３】
以上、本例の美顔器においては、電極部４を四対設けて両目の目下と目尻に当接するように配置しているが、電極部４を当接させる部分は顔面４０の他の部分であってもよい。更に、設置する電極部４の数も四対に限定されず一対以上であればよいが、複数対とした方が複数部位を同時に施療できて都合が良い。また、保持部１の形状についてもゴーグル形状には限定されず眼鏡形状であればよく、特に、つるにより装着する一般の視力矯正用眼鏡のような形状とした場合には使用者に与える圧迫感を低減させることができる。
【００３４】
【発明の効果】
上記のように請求項１記載の発明にあっては、使用者は保持部を顔面に装着するだけで電極部を目近傍にある所望の刺激箇所に当てておくことができ、手に持ちながら刺激箇所に電極部を当てておく等の煩わしい作業を要さずに、電気的刺激を正確な箇所に長時間付与して美容効果を得ることができるものであるから、使い勝手に優れた美顔器になるといった効果がある。
【００３５】
また、請求項２記載の発明にあっては、請求項１記載の発明の効果に加えて、目近傍にある複数の経穴に同時に電気的刺激を付与して高い美容効果が得られるという効果がある。
【００３６】
また、請求項３記載の発明にあっては、請求項１又は２記載の発明の効果に加えて、顔面の凹凸に応じて電極部が変形して、電極部と顔面との高い密着性が確保されるという効果がある。
【００３７】
また、請求項４記載の発明にあっては、請求項３記載の発明の効果に加えて、顔面の凹凸に応じて電極部の底部が変形し、電極部の底部と顔面との高い密着性が確保されるという効果がある。
【００３８】
また、請求項５記載の発明にあっては、請求項４記載の発明の効果に加えて、ばね部材の付勢力により電極部の底部と顔面との高い密着性が確保されるとともに、ばね部材を介した電気的接続により電気信号発生手段から顔面までの抵抗値が軽減されるという効果がある。
【００３９】
また、請求項６記載の発明にあっては、請求項５記載の発明の効果に加えて、ばね部材が電極部の底部を傷付けることが防止されるとともに、球面板の押付けにより電極部の底部と顔面との高い密着性が確保されるという効果がある。
【００４０】
また、請求項７記載の発明にあっては、請求項６記載の発明の効果に加えて、電極部の底部と球面板の両対向面の粗度に影響を受けることなく、しかも、仮に顔面の大きな凹凸部分に当たって電極部の底部が大きく変形した場合にも影響を受けることなく、低抗値が安定的に低く確保されるという効果がある。
【００４１】
また、請求項８記載の発明にあっては、請求項１〜７のいずれか記載の発明の効果に加えて、使用者毎に異なる顔面形状に応じて保持部が変形して密着し、電極部と顔面との高い密着性が確保されるという効果がある。
【００４２】
また、請求項９記載の発明にあっては、請求項１〜８のいずれか記載の発明の効果に加えて、使用者の視界を確保しながら施療されて使い勝手に優れるという効果がある。
【００４３】
また、請求項１０記載の発明にあっては、請求項９記載の発明の効果に加えて、保持部延いては電極部が高い密着性で確実に顔面に保持されるので使い勝手に優れるという効果がある。
【００４４】
また、請求項１１記載の発明にあっては、請求項１０記載の発明の効果に加えて、保持部の装着後にバンド部が徐々にずれ落ちることがなく、保持部延いては電極部が顔面の所望箇所に確実に保持されるので使い勝手に優れるという効果がある。
【００４５】
また、請求項１２記載の発明にあっては、請求項１〜１１のいずれか記載の発明の効果に加えて、電極部に局所的に大きな押付け力が生じることが防止されるという効果がある。
【００４６】
また、請求項１３記載の発明にあっては、請求項１２記載の発明の効果に加えて、目下や目尻にある経穴に電気的刺激を付与することに特化したものにおいて、電極部を備えた部分には軟質弾性体による十分なクッション性が確保されるとともに、電極部を備えない部分である額との当接部分においては硬質弾性体による保持部の確実な位置決めが行われるという効果がある。
【００４７】
また、請求項１４記載の発明にあっては、請求項８〜１３のいずれか記載の発明の効果に加えて、使用者は施療中にも窓部と透明板を介して視界を確保して他の作業を行うことができ、加えて、保持部を机等に置く際には保護用の弾性体により透明板が傷つくことが防止されるという効果がある。
【図面の簡単な説明】
【図１】本発明の実施の形態における一例の美顔器全体を示す背面斜視図である。
【図２】同上の美顔器全体を示す前面斜視図である。
【図３】同上の電極部の断面図である。
【図４】同上の電極部の配設箇所を示す説明図である。
【図５】同上の美顔器の概略ブロック図である。
【符号の説明】
１  保持部
３  窓部
４  電極部
４ａ  底部
５  バンド部
６  弾性体
１２  クッション部
１７  ばね部材
１８  球面板
１９  導電性グリス
２３  透明板
２５  滑り止め部
３２  電気信号出力手段
４０  顔面
【図１】
2004216069.tif 000003
【図２】
2004216069.tif 000004
【図３】
2004216069.tif 000005
【図４】
2004216069.tif 000006
【図５】
2004216069.tif 000007